(57)【要約】【課題】裏面側空間の奥行き寸法が狭くても、立壁部にホースを接続した水栓吐出部を引き出し可能に取り付け得る手段を提供する。【解決手段】水栓吐出部１に接続したホース３を立壁部Ｒの貫通孔１０に挿通させ、ホースガイド４へ挿入してホルダー２と接合した状態で、フランジ部４ｄの突起５を立壁部Ｒに設けたマーカー１５に合致させると共に、アーム部６が段部７の下側に位置するようホースガイド４を調整したのちネジ２０で締結する。ホース３の軌道を下方へ案内するから立壁部Ｒの裏面側空間Ｓの奥行き寸法が狭くてもホース４の収納が可能である。ホースガイド４の導出部４ｃとガイド管８が鉛直下方に対し一定角度θの傾きを持つようにできるから、ホース３がオーバーフロー管と干渉するのを回避できる。アーム部６と段部７とから成る回り止め構造により、ネジ２０が多少緩んでもホースガイド４を回転させるおそれがない。【選択図】　　　図１１
2004003275.tif 000002
【特許請求の範囲】
【請求項１】
裏面側に空間を有する立壁部に、ホースが接続された水栓吐出部を引き出し可能に取り付けるための構造であって、立壁部に形成した貫通孔に水栓吐出部に接続したホースが挿通され、立壁部の正面側に水栓吐出部を着脱可能に保持するホルダーが設けられ、立壁部の裏面側空間にホースを挿通させるホースガイドが設けられ、当該ホースガイドは、立壁部の貫通孔に臨むホースの導入部と、導入部に連設されホースの軌道を湾曲させて鉛直下方又は鉛直下方に近い方向へ案内する湾曲案内部と、湾曲案内部に連設されホースを鉛直下方又は鉛直下方に近い方向の下方空間へ送り出す導出部とを備えていることを特徴とする水栓吐出部の取付構造。
【請求項２】
裏面側に空間を有する立壁部に、ホースが接続された水栓吐出部を引き出し可能に取り付けるための構造であって、立壁部に形成した貫通孔に水栓吐出部に接続したホースが挿通され、立壁部の正面側に水栓吐出部を着脱可能に保持するホルダーが設けられ、立壁部の裏面側空間にホースを挿通させるホースガイドが設けられ、当該ホースガイドは、立壁部の貫通孔に臨むホースの導入部と、導入部に連設されホースの軌道を湾曲させて立壁部の裏面とほぼ平行な方向へ案内する湾曲案内部と、湾曲案内部に連設されホースを下方空間へ送り出す導出部とを備え、立壁部裏面と平行な平面内において、ホースの軌道が鉛直下方に対し一定角度となるように導出部の向きを設定する、位置決め手段が設けられていることを特徴とする水栓吐出部の取付構造。
【請求項３】
ホースガイドの回り止め手段が設けられている請求項１又は２に記載する水栓吐出部の取付構造。
【発明の詳細な説明】
【０００１】
【発明の属する技術分野】
本発明は、洗面化粧台のバックガード等のような立壁部に、ホースを接続した水栓吐出部を引き出し可能に取り付けるための構造に関し、詳しくは、立壁部の裏面側空間の奥行き寸法が狭い場合に対応するための技術に関する。
【０００２】
【従来の技術】
後端側に立壁部を有する洗面化粧台において、この立壁部にホースを接続した所謂ハンドシャワー型の水栓吐出部を引き出し可能に取り付けることが従来提案されており、このような水栓吐出部の取付構造の一例が、特許文献１に記載されている。これは、図１５に示す如く、立壁部Ｒの正面側にホルダー部３３とベース部３４とから成る保持部３２を設け、ホース３１をこの保持部３２内に挿通させるようにして、ハンドシャワー型の水栓吐出部３０を、ホルダー部３３の上端で保持するようにしたものである。水栓吐出部３０に接続したホース３１は、立壁部Ｒに形成した貫通孔３５へ斜めの姿勢に装着したガイドパイプ３６内を挿通して、立壁部Ｒの裏面側空間Ｓの下方へ送り出される。
【０００３】
【特許文献１】
特開２００１−２６９２７６
【０００４】
【発明が解決しようとする課題】
前記従来例では、水栓吐出部３０に接続したホース３１を立壁部Ｒの裏面側空間Ｓへ導くのに、真っ直ぐなガイドパイプ３６を用いている。このため、ガイドパイプ３６の姿勢を傾斜させるとしても、立壁部Ｒの裏面側と室内壁面Ｗとの間の空間Ｓには、ある程度の奥行き寸法（約１００ｍｍ程度）が必要であった。それ故、前記構造の水栓吐出部を有する洗面化粧台にあっては、奥行き寸法をあまり小さくすることができないため、製品が大型化するという問題を招いていた。あるいは、製品の奥行き寸法を一定範囲内に収めようとすると、洗面器の鉢部分の奥行き寸法を縮小しなくてはならないという問題を招来していた。
【０００５】
【課題を解決するための手段】
本発明は、立壁部の裏面側空間の奥行き寸法が多少狭くても、当該立壁部に、ホースを接続した水栓吐出部を引き出し可能に取り付けることを可能にする技術を提供するものであって、その特徴とするところは、立壁部に形成した貫通孔に水栓吐出部に接続したホースを挿通し、立壁部の正面側に水栓吐出部を着脱可能に保持するホルダーを設け、立壁部の裏面側空間にホースを挿通させるホースガイドを設け、当該ホースガイドを、立壁部の貫通孔に臨むホースの導入部と、導入部に連設されホースの軌道を湾曲させて鉛直下方又は鉛直下方に近い方向へ案内する湾曲案内部と、湾曲案内部に連設されホースを鉛直下方又は鉛直下方に近い方向の下方空間へ送り出す導出部とを備えているものとしたことにある。
【０００６】
かかる構成により、立壁部の貫通孔を挿通させたホースの軌道を、ホースガイドによって、裏面側空間において湾曲させ、鉛直下方又は鉛直下方に近い方向へ強制的に案内するから、立壁部の裏面側空間の奥行き寸法が狭くても、ホースの収納が可能となる。
【０００７】
なお、立壁部の裏面側空間において、ホースを立壁部の貫通孔から鉛直下方へ案内するのが必ずしも適当でない場合があり、そのようなときは次のような構造を採用すればよい。すなわち、立壁部に形成した貫通孔に水栓吐出部に接続したホースを挿通し、立壁部の正面側に水栓吐出部を着脱可能に保持するホルダーを設け、立壁部の裏面側空間にホースを挿通させるホースガイドを設け、当該ホースガイドを、立壁部の貫通孔に臨むホースの導入部と、導入部に連設されホースの軌道を湾曲させて立壁部の裏面とほぼ平行な方向へ案内する湾曲案内部と、湾曲案内部に連設されホースを下方空間へ送り出す導出部とを備えるものとすると共に、立壁部裏面と平行な平面内において、ホースの軌道が鉛直下方に対し一定角度となるように導出部の向きを設定する、位置決め手段を設ける。
【０００８】
かかる構成によれば、ホースガイドを所定位置に取り付けるのが容易となり、それによって、立壁部の裏面側空間におけるホースの姿勢を、ホースガイドによって、鉛直下方に対し一定角度となるように保持することができる。従って、例えばホースを挿通させる貫通孔の直下にオーバーフロー孔が形成され、ここにオーバーフロー管が接続されているような場合に、ホースとオーバーフロー管との干渉を確実に避けることができる。
【０００９】
なおホースガイドには回り止め手段を設けることが望ましい。それによって、ネジ等の固定手段が緩んでも、水栓吐出部が容易には回転しないようにすることが可能である。
【００１０】
【発明の実施の形態】
［第１の実施形態］
本発明は、例えば図１に示すような、洗面器Ｐの後端側にバックガードＱが設けられ、その立壁部Ｒに水栓吐出部１が取り付けられる洗面化粧台Ｋ等に適用される。本例では、バックガードＱ等の立壁部Ｒに、ホースを接続したハンドシャワー型の水栓吐出部１を取り付けるため、図２に示すような構造を採用した。
【００１１】
バックガードＱにおける立壁部Ｒに貫通孔１０を形成し、この貫通孔１０の位置に合わせて、立壁部Ｒの正面側に、水栓吐出部１を着脱可能に保持するホルダー２を設ける。また立壁部Ｒの裏面側には、ホース３を挿通させるホースガイド４を設ける。ホルダー２は、ホース３を挿入させる挿通孔２ａを有し、この挿通孔２ａの開口部を含む後端面の一部に、立壁部Ｒの貫通孔１０に嵌合する突出段部２ｂを形成してある。また図３に示す如く、突出段部２ｂには、ホースガイド４と連結するためのネジ穴１１が形成されている。
【００１２】
他方、ホースガイド４は、立壁部Ｒの貫通孔１０に合致しホース３を導き入れる導入部４ａ、ホース３の軌道を湾曲させて鉛直下方又は鉛直下方に近い方向へ案内する湾曲案内部４ｂ、ホース３を鉛直下方又は鉛直下方に近い方向の下部空間へ送り出す導出部４ｃとから成っている。また図４に示す如く、導入部４ａ周囲のフランジ部４ｄには、ホルダー２との連結用ネジを挿通させる開孔１２が形成されている。
【００１３】
前記ホルダー２とホースガイド４との取り付けは、次のようにして行う。図２及び図５に示すように、立壁部Ｒを挟んで、ホルダー２とホースガイド４とをネジ２０で連結する。ホースガイド４のフランジ部４ｄは、立壁部Ｒの貫通孔１０よりも大きい幅寸法に設定されているから、ネジ２０を締め付けることにより、このフランジ部４ｄと、ホルダー２における突出段部２ｂ周囲の後端面２ｃとの間に、立壁部Ｒが挟持されることとなる。その結果、ホルダー２及びホースガイド４が、立壁部Ｒに固定される。
【００１４】
以上の如き構成により、水栓吐出部１に接続したホース３は、ホルダー２の挿通孔２ａを通り、導入部４ａからホースガイド４内へ挿入される。ホース３は、湾曲案内部４ｂによって軌道が強制的に湾曲され、鉛直下方又は鉛直下方に近い方向へ案内されたのち、導出部４ｃから下方空間へ送り出される。従って、立壁部Ｒの裏面側空間Ｓの奥行き寸法が狭くても、進退動作に支障を与えることなくホース４を収納することが可能である。その結果、従来では裏面側空間Ｓの奥行き寸法に約１００ｍｍ程度を必要としていたところ、本発明を採用することにより、これを約４０ｍｍ程度に縮小することができた。
【００１５】
［第２の実施形態］
ホースガイド４の形態は、前記の実施形態では、上面部全体を開口させるものとしていた。しかるに図６に例示する如く、ホースガイド４を、湾曲案内部４ｂ及び導出部４ｃが連続するチューブ状の形態に形成することも可能である。
【００１６】
［第３の実施形態］
図７に示す如く、湯水混合ハンドルＥや排水口Ｈなどと共に、オーバーフロー孔Ｆが設けられている洗面器Ｐであって、立壁部Ｒにおける水栓吐出部１を保持するホルダー２の直下位置にオーバーフロー孔Ｆが形成されている場合、図８に示すように、立壁部Ｒの裏面側空間Ｓには、湯水混合ハンドルＥに接続される給水管ｌ・給湯管ｍ・温水管ｎや、オーバーフロー孔Ｆに接続されるオーバーフロー管Ｇなどが配設される。従って、水栓吐出部１に接続したホース３を鉛直下方へ案内するようにホースガイド４を取り付けると、ホース３と前記配管群、特にオーバーフロー管Ｇとの干渉が生じるおそれがある。
【００１７】
そこで本発明では、ホースガイド４を立壁部Ｒの裏面に取り付けたときに、図９に示す如く、ホース３の軌道が、立壁部Ｒの裏面と平行な平面内において、鉛直下方に対し一定角度θとなるように導出部４ｃの向きを設定する位置決め手段を設けて、前記問題の解決を図った。本例では、下記２種類の位置決め手段を採用しており、一つは、ホースガイド４のフランジ部４ｄの側周面に形成した突起５と、立壁部Ｒの裏面に設けたマーカー１５とで構成したものである。フランジ部４ｄの表面に、突起５の位置に合わせて例えば「マウエ」等の表示を付してもよい。マーカー１５は、リブ状の突起から成る立体的な構造とするほか、インク等による単なる表示であってもよい。
【００１８】
もう一つの位置決め手段は、ホースガイド４のフランジ部４ｄにおける側周面に張り出し形成したアーム部６と、立壁部Ｒの裏面に形成した段部７とから成る構造である。なお、後者の位置決め手段は、ホースガイド４の固定用ネジ２０が多少緩んでも回転を防止する回り止め構造を兼ねている。
【００１９】
なお本例で採用するホースガイド４は、図１０に示すとおり、導出部４ｃにガイド管８を接続するものとした。ガイド管８は、ホース３を所定の軌道に案内するのを容易にすると共に、ホース３の表面を伝わる水を水受けタンク９（図８参照）へ確実に導くためのものである。ガイド管８の接続は、導出部４ｃの表面に設けた突出部４ｆを、ガイド管８に形成した開孔８ａに嵌合させることによりなされる。
【００２０】
前述の位置決め手段及び回り止め構造を利用した水栓吐出部１の取付手順を説明すると、以下の如くである。まず図１１に示すように、ホルダー２に装着した水栓吐出部１に接続されているホース３を、バックガードＱ等の立壁部Ｒに形成した貫通孔１０に挿通させる。次に裏面側空間Ｓにおいて、ホース３の先をホースガイド４の導入部４ａ内へ挿入し、湾曲案内部４ｂ，導出部４ｃ及びガイド管８を経て、ガイド管８の下端から引き出す。
【００２１】
続いて図１２のように、ホルダー２の基部とホースガイド４のフランジ部４ｄとを、立壁部Ｒの貫通孔１０を介して接合し、この状態で、図１３に示す如く、ホースガイド４のフランジ部４ｄに形成した突起５を立壁部Ｒの裏面に設けたマーカー１５の位置と合致させると共に、左右のアーム部６，６がそれぞれ左右の段部７，７の下側に位置するように、ホースガイド４の姿勢を調整したのち、立壁部Ｒの裏面側から両者をネジ２０で締結する。これにより、図１４に示すようにホルダー２の後端面２ｃとホースガイド４のフランジ部４ｄとの間で立壁部Ｒを挟持して、水栓吐出部１が所定位置に取り付けられる。それと同時に、図９に示すとおり、ホースガイド４の導出部４ｃ、及びこれに接続したガイド管８が、立壁部Ｒの裏面と平行な平面内において鉛直下方に対し一定角度θ（θ＝約１０〜２０°）の傾きを持つようにできるから、ホース３が、直下のオーバーフロー管Ｇ（図８参照）と干渉するのを回避することができる。また図示の如く、ホース３の軌道を、湯水混合ハンドルＥとは反対側へ傾けているから、給水管ｌ・給湯管ｍ・温水管ｎとの干渉が生じるおそれもない。
【００２２】
一般に施工者は、ガイド管８が接続されているような構造のホースガイド４を取り付ける場合、ガイド管８が鉛直下方となるようにホースガイド４の取付位置を設定する傾向にある。もし仮に、ホースガイド４が上に述べた位置に取り付けられると、ホース３とオーバーフロー管Ｇとの干渉が生じるだけでなく、水栓吐出部１が適正位置から回転した状態になる。しかるに本発明は、上に例示したような位置決め手段を設けたから、施工者にホースガイド４の適正な取付位置を容易に認識させて、水栓吐出部１が誤った姿勢に取り付けられるのを確実に防止することができる。
【００２３】
また本例にあっては、ホースガイド４のアーム部６と、立壁部Ｒ裏面の段部７とから成る回り止め構造を設けたから、施工後にネジ２０が万一多少緩んだとしても、ホースガイド４が回転して水栓吐出部１を適正位置から移動させる、というおそれがない。段部７は、立壁部Ｒの裏面に一体成形すればよいが、別体に製作したものを接着剤等で固定する構造も可能である。
【００２４】
ところでホースガイド４の回り止め構造は、前記以外に、立壁部Ｒの裏面とホースガイド４のフランジ部４ｄとの間に設ける適宜の凹凸構造とすることも可能である。
【００２５】
なお、図１４に示す如く、ホルダー２の後端面２ｃに形成した凹部２ｄに、ホースガイド４のフランジ部４ｄに突設した凸部４ｅを差し込むようにすれば、両者の締結作業を円滑に行うことができる。
【００２６】
その他、本発明は、実施の状況に応じ適宜変更することを妨げない。
【００２７】
【発明の効果】
本発明の請求項１に係る水栓吐出部の取付構造は、立壁部の裏面側に設けたホースガイドによって、水栓吐出部に接続したホースの軌道を鉛直下方又は鉛直下方に近い方向へ案内するようにしたから、ホースの収納に必要な空間の奥行き寸法を、従来よりも縮小することが可能である。従って本発明を、例えば洗面化粧台に適用すれば、必要とする奥行き寸法が小さくなるので、製品の小型化を図れる。あるいは、洗面器における鉢部を広く確保するのが容易になるから、作業性の良好な洗面化粧台を提供することができる。
【００２８】
他方、本発明の請求項２に係る水栓吐出部の取付構造によれば、ホースガイドの位置決め手段を設けたことにより、ホースガイドを所定位置へ取り付けるのが容易となり、それによって、ホースの軌道が、立壁部裏面と平行な平面内において鉛直下方に対し一定角度となるように確実に設定することができる。従って、例えばホースを挿通させる貫通孔の直下にオーバーフロー孔が形成され、ここにオーバーフロー管が接続されているような場合に、ホースとオーバーフロー管との干渉を確実に回避することが可能である。
【００２９】
なお請求項３に記載の如く、ホースガイドに回り止め手段を設けた場合には、ネジ等の固定手段が緩んでも、水栓吐出部が容易には回転しないようにすることが可能である。
【図面の簡単な説明】
【図１】本発明が適用される洗面化粧台の一例を示す斜視図である。
【図２】本発明の第１の実施形態に関するものであって、水栓吐出部の取付構造を示す側面断面図である。
【図３】本発明の第１の実施形態に関するものであって、ホルダーの後端面を示す背面図である。
【図４】本発明の第１の実施形態に関するものであって、ホースガイドを示す正面図である。
【図５】本発明の第１の実施形態に関するものであって、ホルダーとホースガイドの連結構造を示す図２のＸ−Ｘ線における断面図である。
【図６】本発明の第２の実施形態に関するものであって、水栓吐出部の取付構造を示す側面断面図である。
【図７】本発明の第３の実施形態に関するものであって、本発明が適用される洗面器を前方から見た斜視図である。
【図８】本発明の第３の実施形態に関するものであって、本発明が適用される洗面器を後方から見た斜視図である。
【図９】本発明の第３の実施形態に関するものであって、ホースガイドの取付状態を示す要部の正面図である。
【図１０】本発明の第３の実施形態に関するものであって、図（Ａ）はホースガイドとガイド管の要部とを示す側面断面図、図（Ｂ）はガイド管を接続したホースガイドを示す斜視図である。
【図１１】本発明の第３の実施形態に関するものであって、ホルダーとホースガイドとを分解して示す斜視図である。
【図１２】本発明の第３の実施形態に関するものであって、ホルダーとホースガイドとを接合した状態を示す斜視図である。
【図１３】本発明の第３の実施形態に関するものであって、立壁部裏面に取り付けたホースガイドの要部を拡大して示す斜視図である。
【図１４】本発明の第３の実施形態に関するものであって、ホルダーとホースガイドとの連結構造を示す側面断面図である。
【図１５】従来の水栓吐出部の取付構造を示す側面断面図である。
【符号の説明】
Ｋ…洗面化粧台　Ｅ…湯水混合ハンドル　Ｆ…オーバーフロー孔　Ｈ…排水口　Ｐ…洗面器　Ｑ…バックガード　Ｒ…立壁部　Ｓ…裏面側空間　Ｗ…室内壁面　１…水栓吐出部　　２…ホルダー　２ａ…挿通孔　２ｂ…突出段部　２ｃ…後端面　２ｄ…凹部　３…ホース　　４…ホースガイド　４ａ…導入部　４ｂ…湾曲案内部　４ｃ…導出部　４ｄ…フランジ部　４ｅ…凸部　４ｆ…突出部　５…突起　６…アーム部　７…段部　８…ガイド管　８ａ…開孔　９…水受けタンク　１０…貫通孔　２０…ネジ
【図１】
2004003275.tif 000003
【図２】
2004003275.tif 000004
【図３】
2004003275.tif 000005
【図４】
2004003275.tif 000006
【図５】
2004003275.tif 000007
【図６】
2004003275.tif 000008
【図７】
2004003275.tif 000009
【図８】
2004003275.tif 000010
【図９】
2004003275.tif 000011
【図１０】
2004003275.tif 000012
【図１１】
2004003275.tif 000013
【図１２】
2004003275.tif 000014
【図１３】
2004003275.tif 000015
【図１４】
2004003275.tif 000016
【図１５】
2004003275.tif 000017